(57)【要約】  低しきい値、高速応答、広視野角を有し、配向安定性が高く、少ない配向処理回数で製造できる液晶表示装置及びこの液晶表示装置の製造方法を提供する。一画素が複数の領域に分割され、一つの領域は対向する２つの基板部分７ａ、７ｂを備え、２つの基板部分７ａ、７ｂは互いに対向して配置された水平配向膜２ａ、２ｂと垂直配向膜３ａ、３ｂとから構成され、水平配向膜２ａ、２ｂはそれぞれ所定の方向に配向処理が施され、２つの基板７ａ、７ｂ間の液晶層４としてカイラルネマティック液晶が封入されている。（図１）
2010004991.tif 000002
【特許請求の範囲】
【請求項１】
一画素が複数の領域に分割され、一つの該領域は対向する２つの基板部分を備え、該２つの基板部分は互いに対向して配置された水平配向膜と垂直配向膜とから構成され、該水平配向膜はそれぞれ所定の方向に配向処理が施され、
２つの基板間の液晶層としてカイラルネマティック液晶が封入されている、ことを特徴とする液晶表示装置。
【請求項２】
前記一画素の複数の領域のうちの２つの領域であって、前記水平配向膜が同方向に配向処理され、該水平配向膜は互いに反対側の前記基板部分に形成され、該水平配向膜の水平配向により傾斜する液晶分子の該水平配向膜に対する傾斜角（プレチルト角）の開く方向が同方向となる領域（以下「対となる領域」という）が、少なくとも１対存在することを特徴とする、請求項１に記載の液晶表示装置。
【請求項３】
前記一画素が４つの領域に分割されていることを特徴とする、請求項１又は２に記載の液晶表示装置。
【請求項４】
前記一画素において、同じ側の前記基板部分に前記水平配向膜を有する２つの領域が隣接して配置されていることを特徴とする、請求項１〜３のいずれか一に記載の液晶表示装置。
【請求項５】
前記一画素において、さらに前記対となる領域が隣接して配置されていることを特徴とする、請求項４に記載の液晶表示装置。
【請求項６】
前記カイラルネマティック液晶のカイラルピッチｐ、前記液晶層の厚さＤの比が２≦ｐ／Ｄ≦３．５の範囲にあることを特徴とする、請求項１〜５のいずれか一に記載の液晶表示装置。
【請求項７】
水平配向膜を画素全域に形成し配向処理を施した後、垂直配向膜を形成する画素領域のみに垂直配向膜を形成することを特徴とする、請求項１〜６のいずれか一に記載の液晶表示装置の製造方法。
【請求項８】
第１の水平配向膜を画素全域に形成し、次いで第２の水平配向膜を、該第１の水平配向膜を形成する画素領域以外の画素領域又は該第２の水平配向膜を形成する画素領域のみに形成した後、配向処理を施し、さらに垂直配向膜を形成する画素領域のみに垂直配向膜を形成することを特徴とする、請求項１〜６のいずれか一に記載の液晶表示装置の製造方法。
【発明の詳細な説明】
【技術分野】
【０００１】
（関連出願についての記載）
本発明は、日本国特許出願：特願２００８−１７７５７５号（２００８年  ７月  ８日出願）の優先権主張に基づくものであり、同出願の全記載内容は引用をもって本書に組み込み記載されているものとする。
本発明は、液晶表示装置、特に高速応答性及び広視野角特性を有する液晶表示装置およびその製造方法に関する。
【背景技術】
【０００２】
近年、液晶表示装置はテレビ等の大型端末からノート型パーソナルコンピュータ、キャッシュディスペンサ等の中型端末、さらに携帯電話、携帯ゲーム機等の小型端末まで、幅広く利用されている。こうした液晶表示装置に対して、低しきい値化、高速応答化、広視野角化などの更なる性能向上が求められ、種々の液晶表示装置が開発されている。【０００３】
その中の１つとして、上下の基板間において垂直配向状態と水平配向状態を組み合わせたハイブリッド配向型の液晶表示装置がある。【０００４】
例えば、特許文献１（特開２０００−３３８４９２号公報）には、初期状態において、ネマティック液晶分子が一方の基板に対して垂直配向し、もう一方の基板に対して水平配向するように連続的にチルト角が変化するようにハイブリッド配列し、ネマティック液晶分子のツイスト角が上下方向で捻れを持つ液晶表示装置が提案され、従来から幅広く使用されているツイステッドネマティック（ＴＮ）型の液晶表示装置よりも、低しきい値、高速応答であることが示されている。（特許文献１、図１、図３）。【０００５】
また、特許文献２（特開２０００−２６７１０４号公報）には、一方の基板に水平配向膜、もう一方の基板に垂直配向膜を有し、そのうち一方の基板にのみ１組の電極が設けられたインプレインスイッチング（ＩＰＳ）電極を設け、さらに、液晶材料にカイラル剤を添加することにより初期状態でツイスト配列とした液晶表示装置が示されている。この液晶表示装置は、ハイブリッド配向した液晶層に電圧を印加することにより、液晶分子を基板に対して水平方向へ配向させ、しきい値電圧を低下させている（特許文献２、図２）。【０００６】
また、初期状態において、ツイスト状態を有さない液晶表示装置としては、特許文献３（特開２００１−２４９３３９号公報）に記載されている液晶表示装置が挙げられる。特許文献３に記載されている液晶表示装置においては、初期状態において液晶はツイスト配列しておらず、電圧印加によって、負の誘電率異方性を有する液晶分子が基板に対して水平方向に配列するとともに、液晶が垂直配向膜に配向処理された方向にツイストする液晶表示装置が示されている。（特許文献３、図１、図２）。
【先行技術文献】
【特許文献】
【０００７】
【特許文献１】特開２０００−３３８４９２号公報（第２頁、図１、図３）
【特許文献２】特開２０００−２６７１０４号公報（第２−３頁、図２）
【特許文献３】特許第３６３９４９０号公報（第２−３頁、段落０００１、図１、図２）
【発明の概要】
【発明が解決しようとする課題】
【０００８】
上記特許文献１〜３の全開示内容はその引用をもって本書に繰込み記載する。
以下に本発明による関連技術の分析を与える。
特許文献１に記載された液晶表示装置は、初期状態において液晶分子がツイスト状態を有し、さらにハイブリッド配向となるため、観察者から見た液晶分子の方向あるいは傾きの角度依存性が従来のＴＮ型液晶表示素子よりも大きくなる。つまり、従来のＴＮ型液晶表示素子よりも視野角が狭く、視野角特性が非対称となるという問題がある。【０００９】
特許文献２においては、配向分割の手法を用いて視野角を拡大できることが示されている（特許文献２、請求項６、実施形態３、図８）。しかし、特許文献２の図８に示されているように、同一基板において相対する領域のプレチルト角が逆になる場合、領域間にディスクリネーションが生じやすく配向が不安定になるという問題がある。また、特許文献２では、ＩＰＳ型の電極配置がなされているため、電極上の液晶分子が電圧に対して応答しにくくコントラストが低下するという問題点がある。さらに、上下基板付近の配向が大きく異なるため、電圧印加時の液晶分子の動きが上下基板付近で大きく異なり、フリッカーが生じやすいという問題点も生じる。【００１０】
特許文献３においては、配向分割がなされ広視野角化が図られるとともに、液晶分子のプレチルト角が逆となる領域が隣接しないように配置され、領域間でのディスクリネーションの発生が抑えられている。また、画素単位では、両方の基板に水平配向領域と垂直配向領域が存在するため、フリッカーが生じにくい構造となっている。しかし、特許文献３においては、電圧印加時に液晶分子が基板に対して水平方向に配列するとともに、垂直配向膜に配向処理された方向にツイストするため、初期状態において４方向に配向を分割したとしても、電圧印加時には実質的に２方向に対してしか光学補償がなされないという問題点がある（特許文献３、図２）。【００１１】
例えば、特許文献３の図２において、下基板Ａ１−上基板Ａ２の領域と下基板Ｂ１−上基板Ｂ２の領域は同一となっている。また、垂直配向膜にも異なる配向方向を得るための配向処理が必要となり、配向処理回数が増加し、複雑になるという問題もある。【００１２】
本発明の目的は、低しきい値、高速応答、広視野角を有し、配向安定性が高く、少ない配向処理回数で製造できる液晶表示装置、およびこの液晶表示装置を製造する方法を提供することである。
【課題を解決するための手段】
【００１３】
第１の視点において、本発明に係る液晶表示装置は、一画素が複数の領域に分割され、一つの領域は対向する２つの基板部分を備え、２つの基板部分は互いに対向して配置された水平配向膜と垂直配向膜とから構成され、水平配向膜はそれぞれ所定の方向に配向処理が施され、２つの基板間の液晶層としてカイラルネマティック液晶が封入されている、ことを特徴とする。【００１４】
第２の視点において、本発明に係る液晶表示装置の製造方法は、水平配向膜を画素全域に形成し配向処理を施した後、垂直配向膜を形成する画素領域のみに垂直配向膜を形成することを特徴とする。【００１５】
第３の視点において、本発明に係る液晶表示装置の製造方法は、第１の水平配向膜を画素全域に形成し、次いで第２の水平配向膜を、第１の水平配向膜を形成する画素領域以外の画素領域又は第２の水平配向膜を形成する画素領域のみに形成した後、配向処理を施し、さらに垂直配向膜を形成する画素領域のみに垂直配向膜を形成することを特徴とする。【００１６】
本発明の液晶表示装置では、一画素内で光学補償された複数の領域を有することにより、視野角を拡大することができる。また、画素単位で両方の基板部分に水平配向領域と垂直配向領域が存在するため、電圧印加時の液晶分子の動きが平均化されフリッカーが生じにくい。さらに、水平配向膜のみが配向処理されるので、少ない配向処理回数で視野角を拡大した液晶表示装置を製造できる。
【図面の簡単な説明】
【００１７】
【図１】本発明に係る液晶表示装置の第１の実施例の初期状態を示す模式図である。
【図２】本発明に係る液晶表示装置の第２の実施例の初期状態を示す模式図である。
【図３】本発明に係る液晶表示装置の第１の実施例の電圧印加時の状態を示す模式図である。
【図４】本発明に係る液晶表示装置の第２の実施例の電圧印加時の状態を示す模式図である。
【図５】従来の液晶表示装置で用いられている分割領域の配向方向の組み合せによる初期状態を示す模式図である。
【図６】（ａ）図１に示す液晶表示装置を上基板部分側から観察した場合の上基板部分付近の配向状態を示す模式図である。（ｂ）図２に示す液晶表示装置を上基板部分側から観察した場合の上基板部分付近の配向状態を示す模式図である。
【図７】本発明の一画素を４分割した液晶表示装置における配向方向の変形例を示す模式図である。
【図８】本発明の一画素を４分割した液晶表示装置における配向方向の更なる変形例を示す模式図である。
【図９】本発明の液晶表示装置における電圧−透過率曲線のｐ／Ｄ依存性（カイラルピッチｐ、液晶層の厚さＤ）を示すグラフである。
【図１０】本発明の液晶表示装置における応答時間のｐ／Ｄ依存性を示すグラフである。
【図１１】本発明に係る、一画素を４分割した液晶表示装置の配向処理（製造）方法の一実施例である。
【図１２】本発明に係る、一画素を２分割した液晶表示装置の配向方向の一実施例である。
【図１３】従来の液晶表示装置の配向方向を示す模式図である。
【図１４】従来の液晶表示装置における視野角特性図である。
【図１５】従来の液晶表示装置における視野角特性を示すグラフである。
【図１６】本発明に係る液晶表示装置の実施例１の配向方向を示す模式図である。
【図１７】本発明に係る液晶表示装置の実施例１の視野角特性図である。
【図１８】本発明に係る液晶表示装置の実施例１の視野角特性を示すグラフである。
【図１９】本発明に係る液晶表示装置の実施例１の視野角特性を示すグラフである。
【図２０】本発明に係る液晶表示装置の実施例２の配向方向を示す模式図である。
【図２１】本発明に係る液晶表示装置の実施例２の視野角特性図である。
【図２２】本発明に係る液晶表示装置の実施例２の視野角特性を示すグラフである。
【図２３】本発明に係る液晶表示装置の実施例２の視野角特性を示すグラフである。
【符号の説明】
【００１８】
１  液晶表示装置（画素）
２  水平配向膜
３  垂直配向膜
４  液晶層
５  配向方向
６  プレチルト角
７  基板（部分）
８  液晶分子
９  偏光板
１０  観察者の両目方向
【発明を実施するための最良の形態】
【００１９】
一画素の複数の領域のうちの２つの領域であって、水平配向膜が同方向に配向処理され、水平配向膜は互いに反対側の基板部分に形成され、水平配向膜の水平配向により傾斜する液晶分子の水平配向膜に対する傾斜角（プレチルト角）の開く方向が同方向となる領域（以下「対となる領域」という）が、少なくとも１対存在することが好ましい。「対となる領域」は、このように構成されることによって、互いに光学補償の関係にある。なお、本構成では２つの領域の水平配向膜は互いに反対側に存在するので、プレチルト角の開く方向が同方向というのは、例えば図１に示すようにそれぞれの水平配向膜から液晶分子が立ち上がる角６ａ及び６ｂの開く向きが、それぞれ配向方向５ａ及び５ｂに示す矢印方向（即ち同じ方向）を向いているということである。【００２０】
また、一画素が４つの領域に分割されていることが好ましい。【００２１】
また一画素において、同じ側の基板部分に水平配向膜を有する２つの領域が隣接して配置されていることが好ましく、さらに対となる領域が隣接して配置されていることが好ましい。【００２２】
また、カイラルネマティック液晶のカイラルピッチｐ、液晶層の厚さＤの比が２≦ｐ／Ｄ≦３．５の範囲にあることが好ましい。
【実施例】
【００２３】
図１は、本発明に係る液晶表示装置（画素）１の一実施例であり、その１つの画素の構成を示したものである。上基板部分７ａと下基板部分７ｂとの間にカイラルネマティック液晶が封入された液晶層４があり、さらに上下に偏光板９が配置されている。この画素１は仮想点線で仕切られた２つの領域に分割されている。一つの領域Ａは、上基板部分７ａに水平配向膜２ａが配されており、下基板部分７ｂには垂直配向膜３ａが配されている。水平配向膜２ａは５ａの方向に配向されている。他方の領域Ｂには、上基板部分７ａに垂直配向膜３ｂが配されており、下基板部分７ｂには水平配向膜２ｂが配されている。水平配向膜２ｂは５ｂの方向に配向されている。【００２４】
図１に示すように、この液晶表示装置１の特徴は、分割された２つの領域Ａ、Ｂが対をなしており、対となる領域（２ａと３ａとの間の領域Ａと２ｂと３ｂとの間の領域Ｂ）の水平配向膜２ａ、２ｂの配向処理方向５ａ、５ｂが同方向であり、プレチルト角６ａ、６ｂが同方向（図１に示す場合は水平配向面が対向する側にあるので、基板面を仮想対称面とする面対称の方向）を向いていることである。この構成により、視野角を拡大するとともに配向を安定化させ、良好な表示画面を得ることができる。【００２５】
図２は、１つの画素１を４つの領域Ａ、Ｂ、Ｃ、Ｄに分割した、本発明に係る液晶表示装置１の実施例を示す。この実施例では、一画素において同じ側の基板部分上に水平配向膜２を有する領域同士（２ａと３ａとの間の領域Ａと２ｃと３ｃとの間の領域Ｃ及び２ｂと３ｂとの間の領域Ｂと２ｄと３ｄとの間の領域Ｄ）を隣接させることにより、対向する基板部分の配向膜が両方の領域ともに均一な垂直配向膜３となり、配向を安定化させることができる。【００２６】
また、図２に示すように、同じ側の基板部分上に水平配向膜２を有する２つの領域が隣接すると同時に、一画素において対となる領域（２ａと３ａとの間の領域Ａと２ｂと３ｂとの間の領域Ｂ及び２ｃと３ｃとの間の領域Ｃと２ｄと３ｄとの間の領域Ｄ）が隣接した配置では、さらに良好な配向安定性を得ることができる。【００２７】
また後述するように、封入するカイラルネマティック液晶のカイラルピッチｐと液晶層４の厚さＤの比を２≦ｐ／Ｄ≦３．５の範囲にすることにより、高透過率だけでなく、低しきい値、高速応答をも満たすことができる。【００２８】
本発明の液晶表示装置の製造方法は、まず水平配向膜２を画素全域に形成し配向処理を施し、次いで垂直配向膜３を、垂直配向膜３を形成する画素領域のみに形成することにより、配向処理回数を減らし、容易に製造することができる。また、第１の水平配向膜２を画素全域に形成し、次いで第１の水平配向膜２の配向方向に対して９０°方向に配向能を有する第２の水平配向膜２’を、第１の水平配向膜２を形成する領域以外の領域に、又は第２の水平配向膜２’を形成する領域のみに形成した後、配向処理を施し、垂直配向膜３を、垂直配向膜３を形成する画素領域のみに形成することより、さらに、配向処理回数を減らすことが可能となる。【００２９】
本発明における液晶表示装置の作用を、図１〜７により説明する。【００３０】
本発明に係る液晶表示装置１では、図１、図２に示すように、初期状態において、液晶が分割された領域の配向処理された水平配向膜側の基板部分を基準として、同方向にツイストしていく。この時、分割された複数の領域の内、対となる領域（例えば、２ａと３ａとの間の領域Ａと２ｂと３ｂとの間の領域Ｂ）間では、互いに異なる側の基板部分７ａ、７ｂに水平配向膜２ａ、２ｂを有し、その水平配向膜２ａ、２ｂの配向処理方向（５ａ、５ｂ）が同方向であり、プレチルト角（６ａ、６ｂ）が同方向を向いている。したがって、対となる領域間では一定方向に対して光学的に補償され、視野角を拡大させることができる。【００３１】
また、図３、図４に示すように、電圧を印加した場合には、水平配向膜２を有する基板付近の液晶分子８以外は基板に対して垂直方向に配向する。水平配向膜２を有する基板付近の液晶分子８は、配向処理された水平配向膜２のアンカリングにより初期状態が残るため、電圧印加時にも初期状態と同様な光学補償を得ることができる。【００３２】
本発明のように初期状態において液晶が分割された領域の配向処理された水平配向膜側の基板部分を基準として同方向にツイストしていく状態を、従来の液晶表示装置で用いられている分割領域の配向方向５の組み合わせ、すなわち、対となる領域の水平配向方向が同じ側の基板部分上にあり液晶分子８の傾斜方向が逆方向となるように配向させると問題が生じる（図５）。図５に示すように基板付近の液晶分子８の長軸方向がすべて同方向に揃うため、各領域の配向が不安定となるからである。ここで、図５（ａ）は従来の配向方向の組み合わせにおける配向状態を示し、図５（ｂ）は図５（ａ）を上基板部分７ａ側から観察した場合の上基板部分７ａ付近の配向状態を示している。【００３３】
これに対して、本発明の液晶表示装置１では、図６（ａ）、（ｂ）に示すように隣接する領域間において基板部分付近の液晶分子８の長軸が（基板平面に投影した場合に）９０°方向を向く領域が少なくとも１組は存在するため、初期状態での配向が安定するとともに、電圧印加時にもその関係が維持されるため配向が安定化し、ディスクリネーションが発生しても、その位置の移動を抑えることができる。【００３４】
本発明における一画素が４つの領域に分割された液晶表示装置１の動作を図２、図４で説明する。本発明の液晶表示装置１では、初期状態において、液晶が分割された領域の配向処理された水平配向膜側の基板部分を基準として同方向にツイストしていく。この初期状態では、２ａと３ａとの間の領域（領域Ａ）と２ｂと３ｂとの間の領域（領域Ｂ）とが、及び２ｃと３ｃとの間の領域（領域Ｃ）と２ｄと３ｄとの間の領域（領域Ｄ）とが、それぞれ対をなしている。それぞれの対となる領域（領域Ａと領域Ｂ及び領域Ｃと領域Ｄ）では、互いに異なる側の基板部分に水平配向膜２を有し、プレチルト角（６ａと６ｂ及び６ｃと６ｄ）が同方向を開いて向いており、配向処理された水平配向膜側の基板部分を基準と同方向にツイストしているので、互いに光学補償することができる。【００３５】
次に、配向方向について説明する。本発明の一実施例のように一画素が４つの領域に分割された液晶表示装置における配向方向としては、例えば、図７、図８のような配向方向が挙げられる。両図のような配向方向においては、対となる領域において水平配向膜２の配向処理方向５が同方向でありプレチルト角６が同方向を向くことにより、隣接する領域間において基板部分付近の液晶分子８の長軸が９０°方向を向く領域が少なくとも１組は存在し、配向を安定化することができる。図７（ａ）、（ｃ）、（ｄ）および図８（ａ）、（ｃ）、（ｄ）のように、一画素において同じ側に水平配向膜２を有する領域が隣接すると、水平配向膜２の配向方向５は異なるが、対向する配向膜が両方の領域ともに均一で配向処理がされていない垂直配向膜３となるため、配向方向が異なる水平配向膜２の領域の境界上の配向も安定し、全体を安定化させることができる。【００３６】
また、図７（ａ）、図８（ａ）のように、対となる領域も隣接させることにより、いずれの隣接する領域間においても基板部分付近の液晶分子８の長軸が９０°方向を向くため（図６（ｂ）参照）、さらに好ましい。【００３７】
本発明に用いられるカイラルネマティック液晶の応答性及び透過性について説明する。本発明における液晶表示装置１の動作における電圧−透過率（Ｖ−Ｔ）曲線および応答時間τ（液晶表示装置の最大透過率を１００％とした場合において、τｏｎは電圧印加時に透過率が９０％から１０％に変化するために必要な時間、τｏｆｆは電圧除去時に透過率が１０％から９０％に変化するために必要な時間を示す）のカイラルネマティック液晶のカイラルピッチｐと液晶層厚Ｄの比（ｐ／Ｄ）の依存性をそれぞれ図９、図１０に示す。【００３８】
図９に示すように、カイラルネマティック液晶のカイラルピッチｐと液晶層の厚さＤの比ｐ／Ｄが２程度までは、ｐ／Ｄが小さくなるにつれ透過率Ｔが向上するが、ｐ／Ｄ＜２となるとしきい値電圧が上昇し、その後透過率Ｔも低下する。また、図１０に示すように、応答時間τｏｆｆはｐ／Ｄが小さくなるとともに短くなっていくが、応答時間τｏｎはｐ／Ｄ＝２付近から大幅に長くなっていく。したがって、高透過率だけでなく、低しきい値、高速応答性を満たすためには、２≦ｐ／Ｄ≦３．５の範囲にあることが好ましい。【００３９】
次に、本発明に係る液晶表示装置の製造方法について説明する。本発明の液晶表示装置１における配向処理方法としては、従来の配向処理方法をそのまま使用することができる。例えば、所定の領域以外の水平配向膜２をレジストやハードマスクで覆いラビングを繰り返す方法、あるいはラビングの代わりに光照射を用いる方法が挙げられる。いずれの場合でも、本発明の液晶表示装置１においては、垂直配向膜３を有する部分には配向処理を必要としないので、配向処理回数を減らすことができる。【００４０】
また、図１１に示すように、第１の水平配向膜Ｘを画素全域に形成し、第１の水平配向膜Ｘ（例えば、一般的なポリイミド配向膜）の配向処理に対して９０°方向に配向能を有する第２の水平配向膜Ｙ（例えば、ポリビニルシンナメート）を第１の水平配向膜Ｘを必要とする領域以外に、又は第２の水平配向膜Ｙを必要とする領域のみに印刷した後、配向処理（例えば、ラビング）を施し、その後垂直配向膜Ｚを必要とする画素領域のみに垂直配向膜Ｚを印刷することより、さらに、配向処理回数を減らし、配向膜上の汚染も防ぐことが可能となる。【００４１】
なお、配向膜を形成する方法は塗布や印刷法等、あらゆる公知の形成法が利用できる。【００４２】
本発明の液晶表示装置１の組み立て方法等は従来の方法をそのまま使用することができる。また、基板７と偏光板９との間に位相差板（図示せず）を設け、さらに視野角を拡大することもできる。【００４３】
一画素を２つの領域に分割した場合においても、前述の４つの領域に分割した場合と同様に分割された領域間が光学的に補償され、視野角を拡大することができる。一画素を２つの領域に分割した場合、観察者に対して横方向の視野角をより拡大させるために、図１２に示すように観察者の両目方向に対して平行となるよう配向方向５を設定することが好ましい。【００４４】
また、配向処理方法においても、４つの領域に分割した場合と同様に、水平配向膜２を画素全域に塗布し配向処理を施した後、垂直配向膜３を必要とする画素領域のみに塗布する（図示せず）ことにより、配向膜上の汚染を防ぐことができる。【００４５】
（比較例１）
カイラルネマティック液晶としてカイラルピッチｐと液晶層の厚さＤの比ｐ／Ｄ＝２．４の条件を有する液晶を用い、図１３に示すように画素を分割せず水平配向膜のみ配向処理した液晶表示装置（特許文献１記載の構成）について、シミュレーションを行い、電圧無印加時（初期状態）−５Ｖ印加時のコントラストの視野角依存性を求めた。その結果、図１４、図１５に示すような視野角依存性が得られた。【００４６】
（実施例１）
比較例１と同様の条件で、図１６に示すように、一画素を４分割した液晶表示装置にシミュレーションを行い、電圧無印加時（初期状態）−５Ｖ印加時のコントラストの視野角依存性を求めた。その結果、図１７〜１９に示すように、視野角が拡大され、上下左右で対称な視野角特性が得られた。【００４７】
（実施例２）
比較例１と同様の条件で、図２０に示すように、一画素を２分割した液晶表示装置にシミュレーションを行い、電圧無印加時（初期状態）−５Ｖ印加時のコントラストの視野角依存性を求めた。その結果、図２１〜２３に示すように、視野角が拡大され、比較例１に比べ対称な視野角特性が得られた。【００４８】
以上、本発明を上記実施形態に即して説明したが、本発明は上記実施形態の構成にのみ制限されるものでなく、本発明の範囲内で当業者であればなし得るであろう各種変形、修正を含むことは勿論である。
本発明の全開示（請求の範囲を含む）の枠内において、さらにその基本的技術思想に基づいて、実施形態ないし実施例の変更・調整が可能である。また、本発明の請求の範囲（クレーム）の枠内において、種々の開示要素の多様な組み合せないし選択が可能である。
【図１】
2010004991.tif 000003
【図２】
2010004991.tif 000004
【図３】
2010004991.tif 000005
【図４】
2010004991.tif 000006
【図５】
2010004991.tif 000007
【図６】
2010004991.tif 000008
【図７】
2010004991.tif 000009
【図８】
2010004991.tif 000010
【図９】
2010004991.tif 000011
【図１０】
2010004991.tif 000012
【図１１】
2010004991.tif 000013
【図１２】
2010004991.tif 000014
【図１３】
2010004991.tif 000015
【図１４】
2010004991.tif 000016
【図１５】
2010004991.tif 000017
【図１６】
2010004991.tif 000018
【図１７】
2010004991.tif 000019
【図１８】
2010004991.tif 000020
【図１９】
2010004991.tif 000021
【図２０】
2010004991.tif 000022
【図２１】
2010004991.tif 000023
【図２２】
2010004991.tif 000024
【図２３】
2010004991.tif 000025
【国際調査報告】
2010004991.tif 000026
2010004991.tif 000027
2010004991.tif 000028
2010004991.tif 000029